(57)【特許請求の範囲】
【請求項１】
画像を印刷媒体に印刷する際に、
消色性色素の混合量を減量した発色濃度が低い消色性トナーと、該発色濃度が低い消色性トナーよりも消色性色素の混合量を増量した発色濃度が高い消色性トナーの２種類の消色性トナーを用い、
前記印刷媒体に印刷する前記画像に対し、該画像の面積が大きく且つ濃度の高い部分を前記発色濃度が低い消色性トナーにて印刷し、その他の部分を前記発色濃度が高い消色性トナーにて印刷する、
ことを特徴とする消色性トナーの印刷方法。
【請求項２】
画像を印刷媒体に印刷する際に、
消色性色素の混合量を変えて互いに発色濃度が異なる複数種類の消色性トナーを用い、
前記印刷媒体に印刷する前記画像に対し、該画像の面積が大きく且つ濃度が高い部分から面積が小さく且つ濃度が低い部分まで、発色濃度の低い消色性トナーから発色濃度がより高い消色性トナーに順次切り替えて印刷する、
ことを特徴とする消色性トナーの印刷方法。
【発明の詳細な説明】
【技術分野】
【０００１】
本発明は、消色性トナーの印刷方法に係わり、更に詳しくは見た目の消色性を向上させる消色性トナーの印刷方法に関する。
【背景技術】
【０００２】
昨今、地球環境保護の一環として紙資源の節減が叫ばれている。そこで、紙資源の再利用を目的として、トナーにより画像形成された記録紙の画像を除去または消色して、再度、画像形成を行う方法が種々考えられている。
【０００３】
このような画像を除去して消すには、画像が形成されている用紙面にトナーを除去する処理液を塗布し、加熱して画像を除去する方法や、用紙の画像形成面を研摩してトナー画像を削り落とす方法などがある。しかし、これらの方法は、手数がかかると共に、再利用する用紙に損傷が発生し易いため問題がある。
【０００４】
他の方法としては、画像を形成するに際し、予め消色性のトナーにより記録紙に画像を印刷（以下、印字ともいう）し、この画像を加熱と光照射によって消色する方法が知られている。
【０００５】
この例として、消色性トナーを用いて現像、転写、定着を行って記録紙への印字を行う機能と、記録紙に印字された消色性トナーの文字や画像に消色用の光を照射して消色を行う機能とを備えた画像形成装置が提案されている（例えば、特許文献１）。
【０００６】
ところで通常、印刷物は印刷領域に対して必ずしも均一の画像を印字する訳ではない。例えば文字ならば大きいフォントや小さいフォント、太いフォントや細いフォントが混在するのが一般的である。また、画像や写真の場合にも部分的に濃淡がある。
【０００７】
一般に、記録紙に印字された印字面積が大きい部分や濃度が高い部分は視認性は良好であるが、他方では見た目の消色性が悪いという問題を持っている。
【０００８】
図８(a) は従来の消色性トナーにより印字した例を示す図であり、同図(b) は、その印字された文字と画像を消色した例を示す図である。尚、同図(b) には消色された部分を分かりやすく破線で示している。
【０００９】
図８(a) に示すように、記録紙１には、中央部に比較的小型のフォントのＡＢＣ・・・Ｅの文字列２が印字されている。その上下には、文字列２よりもやや大きめの（中型の）フォントのＡＢＣ・・・Ｅの文字列３が印字されている。更にこれらの上下に、比較的大型のフォントのＡＢＣ・・・Ｅの文字列４が印字され、それらの上下に濃色の画像５が印字されている。
【００１０】
図８(a) の記録紙１の印字面を図８(b) のように消色すると、実際の見た目には小型フォントの文字列２や中型フォントの文字列３が良く消色されていると見えるのに、大型フォントの文字列４や濃色画像５の部分は、文字列２や文字列３の消色部と比較の上で、見た目に消色が不十分であるように見える。
【００１１】
これは、消色そのものは機械的には均等に行われているにもかかわらず、人の目には、面積の広いものは目立ち、面積の小さいものは目立たないという特性があるために起きる現象であると考えられる。
【先行技術文献】
【特許文献】
【００１２】
【特許文献１】特開平０８−１５２８２３号公報
【発明の概要】
【発明が解決しようとする課題】
【００１３】
上記の印字面積が大きい部分や濃度が高い部分が他の部分に比べて見た目に消色性が悪く見えるという問題は、特許文献１に示される従来技術の方法で消色性トナーによる印字を行って消色した場合でも、避けることは出来ない。
【００１４】
この問題を解決する方法としては消色の設定条件を強化することが容易に考え付く。しかし消色の設定条件を強化して消色のための熱や光を増加させると、濃度の薄い部分や用紙の白紙部分などで、消色のエネルギーが過剰となり黄変を引き起こして用紙の品質を低下させてしまうという問題が起こる。
【００１５】
また、このような消色の設定条件の強化は、消色に過大なエネルギーを要するから、本来この種の装置の目的であるはずの省エネや経済性に反するといった問題も生じる。
【００１６】
上記の課題を解決するために、本発明は、消色後において印字面積や濃度の違いにかかわりなく記録紙の消色面が均一に消色されているように見える、見た目の消色性を向上させる消色性トナーの印刷方法を提供することを目的とする。
【課題を解決するための手段】
【００１７】
本発明の消色性トナーの印刷方法は、画像を印刷媒体に印刷する際に、消色性色素の混合量を減量した発色濃度が低い消色性トナーと、該発色濃度が低い消色性トナーよりも消色性色素の混合量を増量した発色濃度が高い消色性トナーの２種類の消色性トナーを用い、前記印刷媒体に印刷する前記画像に対し、該画像の面積が大きく且つ濃度の高い部分を前記発色濃度が低い消色性トナーにて印刷し、その他の部分を前記発色濃度が高い消色性トナーにて印刷する、ように構成される。
【００１８】
また、本発明の消色性トナーの印刷方法は、画像を印刷媒体に印刷する際に、消色性色素の混合量を変えて互いに発色濃度が異なる複数種類の消色性トナーを用い、前記印刷媒体に印刷する前記画像に対し、該画像の面積が大きく且つ濃度が高い部分から面積が小さく且つ濃度が低い部分まで、発色濃度の低い消色性トナーから発色濃度がより高い消色性トナーに順次切り替えて印刷する、ように構成される。
【発明の効果】
【００２０】
本発明は、印字面積や濃度の違いにかかわりなく消色後における見た目の消色性を向上させる消色性トナーの印刷方法を提供できるという効果を奏する。
【図面の簡単な説明】
【００２１】
【図１】本発明の実施例２に係る消色機能付画像形成装置の内部構成を模式的に示す断面図である。
【図２】本発明の実施例２に係る消色機能付画像形成装置の制御装置を含む回路ブロック図である。
【図３】例として図８(a) に示した小型フォント文字列、中型フォント文字列、大型フォント文字列、及び濃色画像が混在する印字データを印字するときの消色性トナーによる印刷方法を説明する図である。
【図４】本発明の実施例３に係る消色性トナーによる濃中淡３種類の濃度で印字する印刷方法を説明する図である。
【図５】実施例３の変形例に係る消色機能付画像形成装置の内部構成を模式的に示す断面図である。
【図６】実施例４に係る消色機能付画像形成装置の内部構成を模式的に示す断面図である。
【図７】図３に示したと同様の印字データを図６の消色機能付画像形成装置の消色性トナーで印刷した例を示す図である。
【図８】(a) は従来の消色性トナーにより印字した例を示す図、(b) はその印字された文字と画像を消色した例を示す図である。
【発明を実施するための形態】
【００２２】
以下、本発明の実施の形態について、詳細に説明する。
【実施例１】
【００２３】
＜消色性トナーの製法＞
先ず、本発明において用いられる消色性トナーの製法について、実施例１として説明する。最初に、８１７ｎｍに感度を持つ赤外線感光色素「ＩＲＴ」（昭和電工製）を１．５質量部、有機ホウ素化合物消色剤「Ｐ３Ｂ」（昭和電工製）を４質量部、トナー用ポリエステル結着樹脂（花王製）を９０．５質量部、負電荷調整剤「ＬＲ−１４７」（日本カーリット製）を１．５質量部、カルナバＷＡＸ１号粉末（加藤洋行社輸入品）を２．５質量部をヘンシェルミキサー（三井鉱山製）に投入し、混合する。
【００２４】
続いて上記の混合物を、二軸混練機で溶融混練する。これで得られた混練物をロートプレックス（ホソカワミクロン製）で粗砕して粗砕物を得る。得られた粗砕物を衝突式粉砕機にて、平均粒径が９μｍになるように粉砕する。
【００２５】
この粉砕により得られた粉砕物１００質量部に、外添剤としてシリカ「Ｒ９７２」（日本アエロジル製）を１質量部添加し、ヘンシェルミキサーで混合して消色性トナーを得ることができる。この消色性トナーは、ガラス転移点は５０．３℃で、軟化点は１０６℃であるように製作されている。
【実施例２】
【００２６】
＜装置本体の構成と画像形成＞
図１は本発明の実施例２に係る消色機能付画像形成装置の内部構成を模式的に示す断面図である。図１に示すように、消色機能付画像形成装置１０は、本体装置筐体１１の内部中央において、水平方向に延在する無端状の転写ベルト１２を備えている。
【００２７】
転写ベルト１２は、不図示の張設機構によって張設されながら、駆動ローラ１３と従動ローラ１４に掛け渡され、駆動ローラ１３により駆動されて、図の矢印ａで示す反時計回り方向に循環移動する。
【００２８】
転写ベルト１２の上循環移動面に接して二つの画像形成ユニット１５（１５ａ、１５ｂ）の感光体ドラム１６（１６ａ、１６ｂ）が配設されている。感光体ドラム１６には、その周面を取り巻くように近接して、図示を省略したクリーナ、初期化帯電器、光書込ヘッド、現像ローラ等が配置されている。
【００２９】
上記の現像ローラは、トナー容器１７（１７ａ、１７ｂ）の側部開口部に配置されている。トナー容器１７の中には消色性トナーＲ（Ｒａ、Ｒｂ）が収容されている。消色性トナーＲａは実施例１で述べた消色性トナーであり、消色性トナーＲｂは赤外線感光色素「ＩＲＴ」の混合量をやや減量して、発色濃度を若干薄くしたものである。
【００３０】
上記の現像ローラは、トナー容器１７に収容されている消色性トナーＲの薄層を表面に担持して、光書込ヘッドによって感光体ドラム１６の周面上に形成されている静電潜像に消色性トナーＲの画像を現像する。
【００３１】
感光体ドラム１６の下部には、転写ベルト１２を介して一次転写ローラ１８（１８ａ、１８ｂ）が圧接して、ここに一次転写部を形成している。一次転写ローラ１８には、不図示のバイアス電源からバイアス電圧を供給される。
【００３２】
一次転写ローラ１８は一次転写部において、バイアス電源から供給されるバイアス電圧を転写ベルト１２に印加して、感光体ドラム１６の周面上に現像されている消色性トナーＲの画像を転写ベルト１２に転写する。
【００３３】
転写ベルト１２の図に示す右端部が掛け渡されている従動ローラ１４には、転写ベルト１２を介して二次転写ローラ１９が圧接して、二次転写部を形成している。二次転写ローラ１９には、不図示のバイアス電源からバイアス電圧が供給される。
【００３４】
二次転写ローラ１９は二次転写部において、バイアス電源から供給されるバイアス電圧を転写ベルト１２に印加し、転写ベルト１２に一次転写されている消色性トナーＲの画像を、画像形成搬送路２１に沿って図の下方から搬送されてくる記録媒体２２に転写する。
【００３５】
上記の記録媒体２２は、給紙カセット等から成る記録媒体収容部２３に積載されて収容され、不図示の給紙ローラ等により最上部の一枚ごとに取り出され、給紙搬送路２４に送出され、更に画像形成搬送路２１を搬送されて、上記の二次転写部を通過しながら消色性トナーＲの画像を転写される。
【００３６】
消色性トナーＲの画像を転写されながら二次転写部を通過した記録媒体２２は、定着搬送路２５に沿って定着部２６へと搬送される。定着部２６の加熱ローラ２７と押圧ローラ２８は、記録媒体２２を挟持し、熱と圧力を加えながら搬送する。
【００３７】
これにより、記録媒体２２は、二次転写されている消色性トナーＲの画像を紙面に定着され、加熱ローラ２７と押圧ローラ２８により更に搬送されて、本体装置筐体１１の上面に形成されている排紙トレー２９に排紙される。
【００３８】
＜装置本体の構成と消色機構＞
ところで、上記の記録媒体収容部２３から二次転写部までの間、つまり給紙搬送路２４と画像形成搬送路２１との間には、消色性トナーＲによる画像を形成された記録媒体２２の画像を消色するための消色部３１が配置されている。
【００３９】
消色部３１は、消色すべき消色性トナーＲの画像を画像形成面の裏面から加熱するための消色用ヒータローラ３２と、この加熱された消色性トナーＲの画像を効率よく消色するための消色用ＬＥＤヘッド３３から成る。
【００４０】
前述したように、本例において用いられる消色性トナー（Ｒ）は、そのガラス転移点は５０．３℃で、軟化点は１０６℃であるように製作されている。
【００４１】
そして、図１に示した消色部３１の消色用ヒータローラ３２には、ハロゲンランプが内蔵されている。ハロゲンランプの波長分布は広がりが広く、近赤外線の波長分布を広く含んでいるので、熱輻射の熱源として適している。
【００４２】
本例では、このハロゲンランプの熱輻射の温度を可変できるようにし、消色対象となる紙面への加熱温度を、５０℃〜１００℃の範囲に設定できるようにしている。この温度範囲は、消色用加熱温度を消色性トナーのガラス転移点以上で軟化点以下となる範囲に設定可能な範囲である。
【００４３】
また、本例における消色用ＬＥＤヘッド３３は、ＬＥＤアレイで構成されている。ＬＥＤは非常に狭い波長分布を有しているので、ＬＥＤの選択のしようによっては、消色に不必要な波長の光の生成が非常に少ない、つまり消色効率の良い波長分布の光を照射するＬＥＤを選び出すことができる。
【００４４】
＜制御装置＞
図２は、上記の消色機能付画像形成装置１０の制御装置を含む回路ブロック図である。図２に示すように回路ブロックは、ＣＰＵ（central processing unit)３５を中心にして、このＣＰＵ３５に、それぞれデータバスを介してインターフェイスコントローラ（Ｉ／Ｆ＿ＣＯＮＴ）３６及びプリンタコントローラ（ＰＲ＿ＣＯＮＴ）３７が接続されている。このＰＲ＿ＣＯＮＴ３７にはプリンタ印字部３８が接続されている。
【００４５】
また、ＣＰＵ３５には、ＲＯＭ（read only memory）３９、ＥＥＰＲＯＭ（electrically erasable programmable ROM）４１、本体操作部の操作パネル４２、及び各部に配置されたセンサからの出力が入力されるセンサ部４３が接続されている。ＲＯＭ３９には、システムプログラムが記憶され、ＣＰＵ３５は、このシステムプログラムに従って各部を制御して処理を行う。
【００４６】
すなわち、各部において、先ず、Ｉ／Ｆ＿ＣＯＮＴ３６は、例えばパーソナルコンピュータ等のホスト機器から供給される印字データをビットマップデータに変換し、フレームメモリ４４に展開する。フレームメモリ４４には、消色性トナー（Ｒ）に対応する記憶エリアが設定されており、この記憶エリアに消色性トナー画像のデータが展開される。
【００４７】
フレームメモリ４４に展開されたデータはＰＲ＿ＣＯＮＴ３７に出力され、ＰＲ＿ＣＯＮＴ３７からプリンタ印字部３８に出力される。
【００４８】
プリンタ印字部３８は、エンジン部であり、ＰＲ＿ＣＯＮＴ３７からの制御の下で、図１に示した感光体ドラム１６、一次転写ローラ１８等を含む回転駆動系、図１には図示を省略した初期化帯電器、光書込ヘッド等の被駆動部を有する画像形成ユニット１５の印加電圧などのプロセス負荷への駆動出力を制御する。
【００４９】
更にプリンタ印字部３８は、転写ベルト１２の不図示のベルト位置制御機構の上下移動の駆動制御などを行うベルト駆動部４５、転写ベルト１２及び各搬送路の不図示の搬送ベルトの制御を行う搬送ベルト駆動部４６、消色部３１の制御を行う消色駆動部４７への駆動出力を制御する。
【００５０】
そして、ＰＲ＿ＣＯＮＴ３７から出力された消色性トナー（Ｒ）の画像データは、プリンタ印字部３８から図１に示した画像形成ユニット１５の図示を省略した光書込ヘッドに供給される。
【００５１】
＜消色性トナーの印刷方法＞
図３は、例として、図８(a) に示した小型フォント文字列２、中型フォント文字列３、大型フォント文字列４、及び濃色画像５が混在する印字データを印字するときの消色性トナーＲ（Ｒａ、Ｒｂ）による印刷方法を説明する図である。
【００５２】
本例において図２の制御装置は、上述した画像形成時の制御において、ホスト機器から供給される印字データをビットマップデータに変換してフレームメモリ４４に展開するに際し、先ず、文字フォントの大きさや単位画像の大きさを判別する。
【００５３】
すなわち、個々の印字部分が小型フォント文字列２や中型フォント文字列３の文字のように比較的小さい場合は、これら個々の文字を小印字部分として分別し、小型フォント文字列２や中型フォント文字列３から成る紙面を小印字部分の集合体としての小印字領域５１と設定する。
【００５４】
また、大型フォント文字列４や濃色画像５のように、個々の印字部分が比較的大きい場合は、これら個々の印字部分を大印字部分として分別し、大型フォント文字列４や濃色画像５から成る紙面を大印字部分の集合体としての大印字領域５３と設定する。  
【００５５】
そして、小印字領域５１に対しては、通常濃度の消色性トナーＲａで印字し、大印字領域５３に対しては、発色濃度を若干薄くした消色性トナーＲｂで印字し、定着部２６で定着して排紙トレー２９に排紙する。
【００５６】
定着された紙面は特には図示しないが、印字濃度が濃くて明瞭に見える小印字領域５１に比較して、大印字領域５３はやや薄い濃度で印字されているものの、大印字領域５３は個々の印字部分が広いので、濃度が薄くても明瞭に見え、小印字領域５１と並べてみても遜色なく、紙面全体が違和感のないほぼ均等な濃度の印字に見える。
【００５７】
この印刷物を記録媒体収容部２２に戻し、給紙搬送路２４に送り出して、消色部３１で消色してみると、特には図示しないが、小印字領域５１は個々の印字部分が小さいので良く消色されている。大印字領域５３は印字濃度が薄かったので、これも良く消色されていて、紙面全体がむらなく消色されているように見える。
【実施例３】
【００５８】
上記の実施例１では印字領域を２種類に分別して濃淡２種類の濃度で印字したが、濃度は濃淡２種類に限るものではない。濃中淡３種類の濃度で印字するようにしてもよい。
【００５９】
図４は、実施例３に係る消色性トナーによる濃中淡３種類の濃度で印字する印刷方法を説明する図である。尚、実施例３においても消色性トナーの製法、装置本体の構成、画像形成に基本動作、消色機構、及び制御装置の構成は実施例１及び２の場合と同一である。
【００６０】
図４には、例として図３に示したものと同様の印字データを消色性トナーＲ（Ｒａ、Ｒｂ）によって濃中淡３種類の濃度で印字する場合を示している。
【００６１】
本例においても、図２の制御装置は、印字データをビットマップデータに変換してフレームメモリ４４に展開するに際し、先ず、文字フォントの大きさや単位画像の大きさを判別する
【００６２】
すなわち、個々の印字部分が小型フォント文字列２の文字のように比較的小さい場合は、これら個々の文字を小印字部分として分別し、小型フォント文字列２から成る紙面を小印字部分の集合体としての小印字領域５１と設定する。
【００６３】
そして、中型フォント文字列３のように、個々の印字部分が小型フォント文字列２の文字よりやや大きい場合は、これら個々の文字を中印字部分として分別し、中型フォント文字列３から成る紙面を中印字部分の集合体としての中印字領域５２と設定する。
【００６４】
更に、大型フォント文字列４や濃色画像５のように、個々の印字部分が比較的大きい場合は、これら個々の印字部分を大印字部分として分別し、大型フォント文字列４や濃色画像５から成る紙面を大印字部分の集合体としての大印字領域５３と設定する。
【００６５】
そして、小印字領域５１には、通常濃度の消色性トナーＲａで印字し、中印字領域５２には消色性トナーＲａで領域全体の１／２の画素数で分散して印字し、残りの１／２の領域を、濃度の薄い消色性トナーＲｂで印字し、大印字領域５３には、濃度の薄い消色性トナーＲｂのみで印字して、定着部２６で定着し排紙トレー２９に排紙する。
【００６６】
定着された紙面は特には図示しないが、印字濃度が濃くて明瞭に見える小印字領域５１に比較して、中印字領域５２はやや薄く、大印字領域５３は更に薄い濃度で印字されているが、それぞれ小印字領域５１に比較して個々の印字部分が順次広くなっているので、紙面全体が違和感なくほぼ均等な感じで読み取ることができる。
【００６７】
この印刷物を記録媒体収容部２２に戻し、給紙搬送路２４に送り出して、消色部３１で消色してみると、特には図示しないが、この場合も良く消色されていて紙面全体がむらなく消色されているように見える。
【００６８】
＜実施例３の変形例＞
図５は、実施例３の変形例に係る消色機能付画像形成装置の内部構成を模式的に示す断面図である。本例の消色機能付画像形成装置５０は、実施例２、３の図１に示した消色機能付画像形成装置１０よりも、画像形成ユニット１５が１個多く配設されている。
【００６９】
すなわち、図１の場合と同様の濃い濃度の消色性トナーＲａを収容した画像形成ユニット１５ａと薄い濃度の消色性トナーＲｂを収容した画像形成ユニット１５ｂとの間に、中濃度の消色性トナーＲａｂを収容して画像形成ユニット１５ａｂが配設されている。尚、その他の構成部分は図１の場合と同様であるので、符号の図示と説明は省略する。
【００７０】
図５において、画像形成ユニット１５ａｂの中濃度の消色性トナーＲａｂは、例えば、消色性トナーＲａと消色性トナーＲｂを半々に混合した消色性トナーである。図４に示した画像データの小印字領域５１を画像形成ユニット１５ａで、中印字領域５２を画像形成ユニット１５ａｂで、大印字領域５３を画像形成ユニット１５ｂでそれぞれ印字する。このように構成しても実施例３と同様の効果が得られる。
【実施例４】
【００７１】
図６は、実施例４に係る消色機能付画像形成装置の内部構成を模式的に示す断面図である。本例の消色機能付画像形成装置５５は、画像形成ユニットとして、通常濃度の消色性トナーＲａを収容して画像形成ユニット１５ａが１個のみ配設されている。尚、その他の構成部分は図１の場合と同様であるので、符号の図示と説明は省略する。
【００７２】
図７は、図３に示したと同様の印字でータを、図６の消色機能付画像形成装置５５の消色性トナーＲａで印刷した例を示す図である。図７に示すように、小印字領域５１は、消色性トナーＲａで通常に印字されている。そして、大印字領域５３の個々の印字部分は網目状の印字態様で塗りつぶして印字されている。
【００７３】
このように大印字領域５３を網目状の塗りつぶし印字で薄くしても、個々の印字領域が広い（大きい）ので見た目には小印字領域５１と同様に明瞭に見える。そして、消色部３１で消色したときは、網目状の塗りつぶしはトナー量が少ないので良く消色され、この場合も全体として良く消色されていて紙面全体がむらなく消色されているように見える。
【００７４】
尚、網目の大小を印字領域の大小に合わせて調整するようにすれば、濃中淡３種類の印字領域にも対応でき、更により細かく対応することも可能であることは勿論である。
【産業上の利用可能性】
【００７５】
本発明は、見た目の消色性を向上させる消色性トナーの印刷方法に利用することができる。
【符号の説明】
【００７６】
１  記録紙
２  小型フォント文字列
３  中型フォント文字列
４  大型フォント文字列
５  濃色画像
１０  消色機能付画像形成装置
１１  本体装置筐体
１２  転写ベルト
１３  駆動ローラ
１４  従動ローラ
１５（１５ａ、１５ａｂ、１５ｂ）  画像形成ユニット
１６（１６ａ、１６ｂ）  感光体ドラム
１７（１７ａ、１７ｂ）  トナー容器
Ｒ（Ｒａ、Ｒｂ）  消色性トナー
１８（１８ａ、１８ｂ）  一次転写ローラ
１９  二次転写ローラ
２１  画像形成搬送路
２２  記録媒体
２３  記録媒体収容部
２４  給紙搬送路
２５  定着搬送路
２６  定着部
２７  加熱ローラ
２８  押圧ローラ
２９  排紙トレー
３１  消色部
３２  消色用ヒータローラ
３３  消色用ＬＥＤヘッド
３５  ＣＰＵ（central processing unit)
３６  インターフェイスコントローラ（Ｉ／Ｆ＿ＣＯＮＴ）
３７  プリンタコントローラ（ＰＲ＿ＣＯＮＴ）
３８  プリンタ印字部
３９  ＲＯＭ（read only memory）
４１  ＥＥＰＲＯＭ（electrically erasable programmable ROM）
４２  操作パネル
４３  センサ部
４４  フレームメモリ
４５  ベルト駆動部
４６  搬送ベルト駆動部
４７  消色駆動部
５０  消色機能付画像形成装置
５１  小印字領域
５２  中印字領域
５３  大印字領域
５５  消色機能付画像形成装置
【図２】
0005487901.tif 000002
【図１】
0005487901.tif 000003
【図３】
0005487901.tif 000004
【図４】
0005487901.tif 000005
【図５】
0005487901.tif 000006
【図６】
0005487901.tif 000007
【図７】
0005487901.tif 000008
【図８】
0005487901.tif 000009